【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
第１のデータセンタと第２のデータセンタを含む複数のデータセンタを備えるシステムであって、
各々のデータセンタは、
ストレージシステムと、
ホストサーバと、
ディレクトリ・サーバと、
複数のアクセス・ゲートウェイのうち少なくとも１台のアクセス・ゲートウェイと、
前記複数のデータセンタと、前記ディレクトリ・サーバと、前記アクセス・ゲートウェイを相互に接続するネットワークとを備え、
コピー動作において、複数のアクセス・ゲートウェイのうち少なくとも１台のアクセス・ゲートウェイを経由して受け取った入力に応じて、複数のデータセンタのあるものはデータの１次側（発信元）として設定され、また複数のデータセンタのあるものはデータの２次側（宛先）として設定される、システム。
【請求項２】
請求項１に記載のシステムであって、コピー動作においては、複数のアクセス・ゲートウェイのうち少なくとも１台のアクセス・ゲートウェイを経由して受け取った前記入力に応じて、前記第１のデータセンタと前記第２のデータセンタに係わる情報が前記ディレクトリ・サーバから取り込まれ、その時点で前記第１のデータセンタはデータの１次側（発信元）として設定され、前記第２のデータセンタはデータの２次側（宛先）として設定される、システム。
【請求項３】
請求項２に記載のシステムであって、第２のコピー動作においては、複数のアクセス・ゲートウェイのうち少なくとも１台のアクセス・ゲートウェイを経由して受け取った第２の入力に応じて、前記第１のデータセンタはデータの２次側（宛先）として再設定され、前記第２のデータセンタはデータの１次側（発信元）として設定される、システム。
【請求項４】
請求項３に記載のシステムであって、そのコピー動作は同期型であり、前記第２のコピー動作においては、前記第１のデータセンタは、２次側（宛先）として再設定される前に、キャッシュ・メモリーの内容により記憶内容を更新する、システム。
【請求項５】
請求項２に記載のシステムであって、前記ディレクトリ・サーバから取り込まれた前記情報は、複数のアクセス・ゲートウェイのうち少なくとも１台のアクセス・ゲートウェイを経由して受け取られた前記入力の発信元についての近接情報で構成され、前記コピー動作において、前記近接情報に基づき、前記第１のデータセンタはデータの１次側（発信元）として設定され、前記第２のデータセンタはデータの２次側（宛先）として設定される、システム。
【請求項６】
請求項２に記載のシステムであって、前記複数のデータセンタは、第３のデータセンタを更に備え、コピー動作においては、前記第３のデータセンタは、データの２次側（宛先）のもう一つとして設定される、システム。
【請求項７】
請求項１に記載のシステムであって、前記複数のアクセス・ゲートウェイのうち少なくとも１台のアクセス・ゲートウェイとユーザ・ターミナルとの間を接続するネットワーク・インタフェースを更に備える、システム。
【請求項８】
請求項１に記載のシステムであって、仮想ボリュームに関連した情報が前記ストレージシステムにある複数の実ボリュームに記憶される、システム。
【請求項９】
請求項８に記載のシステムであって、前記仮想ボリュームと前記ストレージシステムにある複数の実ボリュームとの間の対応は、前記ディレクトリ・サーバに記憶される、システム。
【請求項１０】
請求項１に記載のシステムであって、前記第１のデータセンタの記憶ボリュームと前記第２のデータセンタの記憶ボリュームとがコピー・ボリューム・グループを構成する、システム。
【請求項１１】
請求項１に記載のシステムであって、前記ディレクトリ・サーバは、ログイン・プロセスと、仮想ボリューム情報を更に備える、システム。
【請求項１２】
請求項１に記載のシステムであって、前記ホストサーバは、コピー・ボリューム・グループ・インタフェース・プロセスと、読み出しリクエスト発行プロセスと、書き込みリクエスト発行プロセスを更に備える、システム。
【請求項１３】
仮想ボリュームの名称とユーザのネットワーク・インタフェースＩＤとを受信するステップと、
前記仮想ボリュームの名称と前記ネットワーク・インタフェースＩＤとに対応する仮想ボリュームを見出すステップと、
前記ユーザがログインしているデータセンタに対応する実ボリューム情報を選択するステップと、
前記データセンタが１次側か否かを判断するステップと、
もし、前記データセンタが１次ボリュームを含んでいない場合は、前記データセンタ内のボリュームを１次ボリュームに変更するリクエストを発行し、そのリクエストに対する応答を待ち、現在の１次ボリュームをリセットし、前記データセンタの前記ボリュームを１次ボリュームに設定するステップと、
前記データセンタの前記ボリュームを１次ボリュームに設定した実ボリューム情報を返信するステップと、
を備える方法。
【請求項１４】
実ボリューム・アドレスとストレージシステム・アドレスとを備えるリクエストを受信するステップと、
前記リクエストの前記実ボリューム・アドレスと前記ストレージシステム・アドレスに対応するコピー・ボリューム・グループを見出すステップと、
現在の１次ボリュームであるコピー・ボリュームを見出すステップと、
転送形式が同期式であるか否かを判断するステップと、
もし、前記転送形式が同期式であるならば、現在の１次ボリュームがキャッシュに同期することを要求し、そして応答を待つステップと、
１次の実ボリュームを変更するリクエストを発行するステップと、
前記リクエストに対する応答を待つステップと、
現在の１次ボリュームが１次ボリュームであるという表示をリセットするステップと、
前記リクエストの前記実ボリューム・アドレスと前記ストレージシステム・アドレスに対応するボリュームが現在の１次ボリュームであるという表示を設定するステップと、
完了を通知するステップと、
を備える方法。
【請求項１５】
書き込みデータを受信するステップと、
前記書き込みデータをキャッシュ・メモリーに記憶するステップと、
前記書き込みデータに係わる転送形式が同期形式か否かを判定するステップと、
もし、前記転送形式が同期形式である場合は、次に書き込みデータを２次のボリュームに送信し、応答を待つステップと、
完了を通知するステップと、
を備える方法。
【請求項１６】
請求項１５に記載の方法であって、前記書き込みデータとともに特定された実ボリューム・アドレスを含むコピー・ボリューム・グループ情報を見出すステップを更に備える、方法。
【請求項１７】
書き込みデータがキャッシュ・メモリーに記憶されているか否かを判定するステップと、
もし、書き込みデータがキャッシュ・メモリーに記憶されていない場合は、待ち、それから再度、書き込みデータがキャッシュ・メモリーに記憶されているかを判断するステップと、
前記書き込みデータのストレージシステムに対するコピー・ボリューム・グループ情報を見出すステップと、
前記ストレージシステムに前記書き込みデータを送信するステップと、
前記書き込みデータが他のストレージシステムへ送信されるものであるか否かを判断するステップと、
もし、前記書き込みデータが他のストレージシステムへ送信されるものであれば、前記見出すステップと、前記送信するステップと、前記判断するステップとを、全ての書き込みデータが送信されるまで繰り返し実行するステップと、
完了を通知するステップと、
を備える方法。
【請求項１８】
請求項１７に記載の方法であって、前記コピー・ボリューム・グループ情報は、対応する実ボリュームの実ボリューム・アドレスを含む、方法。
【請求項１９】
複数の記憶装置のうち少なくとも１台の記憶装置と、
記憶制御装置と、
を備え、
前記記憶制御装置は、
キャッシュ・メモリーと、
コピー・ボリューム・グループ情報と、
コピー・ボリューム・グループ定義プロセス手段と、
読み出しリクエスト実行プロセス手段と、
書き込みリクエスト実行プロセス手段と、
書き込みデータ送信プロセス手段と、
書き込みデータ受信プロセス手段と、
を備える装置。
【請求項２０】
請求項１９に記載の装置であって、前記書き込みリクエスト実行プロセス手段は、書き込みデータを受け取り、前記書き込みデータを前記キャッシュ・メモリーに記憶させ、前記書き込みデータに係わる転送形式が同期形式であるか否かを判断し、もし、前記転送形式が同期形式であれば、書き込みデータを２次ボリュームに送信し、そして応答を待ち、完了を通知する、装置。
【請求項２１】
請求項１９に記載の装置であって、
前記書き込みデータ送信プロセス手段は、
（ａ）書き込みデータがキャッシュ・メモリーに記憶されているか否かを判断し、
（ｂ）もし、書き込みデータがキャッシュ・メモリーに記憶されていない場合は、待ち、それから再度、書き込みデータがキャッシュ・メモリーに記憶されているかを判断し、
（ｃ）前記書き込みデータのストレージシステムに対するコピー・ボリューム・グループ情報を見出し、
（ｄ）前記ストレージシステムに対し書き込みデータを送信し、
（ｅ）前記書き込みデータを他のストレージシステムへ送信するか否かを判断し、
（ｆ）もし、前記書き込みデータが他のストレージシステムへ送信するものであれば、前記（ｃ），前記（ｄ），前記（ｅ）の処理を全ての書き込みデータが送信されるまで繰り返し実行し、完了を通知する、装置。